(57)【要約】【課題】植栽トレーどうしの連結力を長期間にわたって持続し易くする。【解決手段】植栽トレーＡに係止自在な係止部Ｇの複数を連結具本体ＪＡに設け、隣接配置した複数の植栽トレーＡに各係止部Ｇを係止させることで植栽トレーＡどうしを連結可能な植栽トレー連結具において、植栽トレーＡに対する係止状態の係止部Ｇへの日射を遮蔽可能な日射遮蔽部Ｎを設けてある。【選択図】　　　　図９
2004024047.tif 000002
【特許請求の範囲】
【請求項１】
植栽トレーに係止自在な係止部の複数を連結具本体に設け、隣接配置した複数の前記植栽トレーに前記各係止部を係止させることで前記植栽トレーどうしを連結可能な植栽トレー連結具であって、
前記植栽トレーに対する係止状態の前記係止部への日射を遮蔽可能な日射遮蔽部を設けてある植栽トレー連結具。
【請求項２】
前記日射遮蔽部は、前記連結具本体に一体的に設けてある請求項１に記載の植栽トレー連結具。
【請求項３】
前記連結具本体は、前記係止部どうしの近接離間を許容自在に形成してある請求項１又は２に記載の植栽トレー連結具。
【請求項４】
前記日射遮蔽部は、隣接配置した複数の前記植栽トレー間に介在自在で、前記植栽トレーどうしの近接離間を許容自在に形成してある請求項１〜３の何れか一項に記載の植栽トレー連結具。
【請求項５】
前記日射遮蔽部は、前記植栽トレーに対して前記連結具本体を着脱操作自在な操作部である請求項１〜４の何れか一項に記載の植栽トレー連結具。
【発明の詳細な説明】
【０００１】
【発明の属する技術分野】
本発明は、植栽トレーに係止自在な係止部の複数を連結具本体に設け、隣接配置した複数の前記植栽トレーに前記各係止部を係止させることで前記植栽トレーどうしを連結可能な植栽トレー連結具に関する。
【０００２】
【従来の技術】
従来、この種の植栽トレー連結具としては、図１７、図１８に示すように、断面形状が逆「Ω」字形状の連結具本体３０で構成してあり、連結具本体３０の両端部に、植栽トレーＡの縁部に係止する係止部３１を設け、連結具本体３０の中央部に屋上Ｒへの固定具本体１５を挿通できるように形成してあるものがあった（例えば、特願平２００１−３１５２２８号参照）。
また、屋上への固定機能は備えなくても、図１９に示すように、隣接させた植栽トレーＡの縁部同士を挟み込んで連結するクリップ状の植栽トレー連結具を考えることはできる。この場合は、図に示すように、断面形状が、逆「Ｕ」字形状の連結具本体３２で、その連結具本体３２の両端部が係止部３３となる。
以上のそれぞれの例に挙げた植栽トレー連結具は、生産性や取扱性、及び、コスト面等の理由から、大量生産で安価に形成でき、且つ、軽量で適度な弾性を備えさせることができる合成樹脂で形成されるのが一般的である。
【０００３】
【発明が解決しようとする課題】
前記植栽部は、そこに植え付けてある植栽物の生育の為には、日照条件の良好な個所に設けられるのが一般的であり、それに伴って、前記植栽トレーや、植栽トレー連結具にも太陽光は照射され、その結果、紫外線による劣化が生じ易い。
上述した従来の植栽トレー連結具によれば、複数の植栽トレーにわたって取り付けた状態で、植栽表面側には、前記係止部、又は、その近傍部分が露出、又は、露出に近い状態になり、上述の通り、紫外線による劣化が発生し易い。その結果、強度低下が起こったり、亀裂の発生によって破壊したりする危険性が高く、連結具として必要な植栽トレーの連結作用を発揮できなくなる問題点がある。
下地上に設置されている各植栽トレーどうしの連結が不充分な状態になると、所定の設置位置から植栽トレーがずれて植栽部の外観が低下したり、風によって植栽トレーが吹き飛ばされ易くなると言ったことに成りかねない。
【０００４】
従って、本発明の目的は、上記問題点を解消し、植栽トレーどうしの連結力を長期間にわたって持続し易い植栽トレー連結具を提供するところにある。
【０００５】
【課題を解決するための手段】
請求項１の発明の特徴構成は、植栽トレーに係止自在な係止部の複数を連結具本体に設け、隣接配置した複数の前記植栽トレーに前記各係止部を係止させることで前記植栽トレーどうしを連結可能な植栽トレー連結具において、前記植栽トレーに対する係止状態の前記係止部への日射を遮蔽可能な日射遮蔽部を設けてあるところにある。
【０００６】
請求項１の発明の特徴構成によれば、前記植栽トレーに対する係止状態の前記係止部への日射を遮蔽可能な日射遮蔽部を設けてあるから、植栽トレーに当該植栽トレー連結具を取り付けた状態で日射を受けたとしても、前記日射遮蔽部によって太陽光が前記係止部に直接的に照射されるのを緩和することができる。従って、少なくとも連結具としての機能を発揮する前記係止部を対象として、紫外線劣化を抑制することが可能となり、植栽トレーどうしの連結力を長期間にわたって持続し易くすることができる。
【０００７】
請求項２の発明の特徴構成は、前記日射遮蔽部は、前記連結具本体に一体的に設けてあるところにある。
【０００８】
請求項２の発明の特徴構成によれば、請求項１の発明による作用効果を叶えることができるのに加えて、部品点数をより少なくでき、製品管理を実施しやすくできると共に、部材としての取扱性を向上させることができ、植栽トレーへの着脱作業効率をよくすることが可能となる。
【０００９】
請求項３の発明の特徴構成は、前記連結具本体は、前記係止部どうしの近接離間を許容自在に形成してあるところにある。
【００１０】
炎天下に曝される設置環境を考慮すると、昼夜での環境温度差による各植栽トレーの膨張収縮は避け難く、それに伴って各植栽トレー間隔も大小に変化する。
請求項３の発明の特徴構成によれば、請求項１又は２の発明による作用効果を叶えることができるのに加えて、係止部どうしの近接離間を許容することができるから、上述のように植栽トレー間隔が変化しても、その変化を許容でき、各植栽トレーに対しては確実に係止しながらも柔軟な連結状態を維持することが可能となる。従って、熱膨張や収縮に伴って各植栽トレー間に作用する応力の緩和を図れる状態に連結することが可能となり、対象となる植栽トレーの被係止部に前記応力が集中するといったことを緩和できる。
尚、このように、各植栽トレーどうしの連結を柔軟な状態で維持できることは、植栽トレーの熱膨張や収縮時にのみ効果を発揮するものではなく、例えば、地震や風等によって各植栽トレーどうしが相対移動するような状況が発生する場合にも同様の効果を発揮することができるものである。そして、植栽トレー間に作用する応力の緩和を図れると言うことは、植栽トレーに対する応力の集中を防止できると共に、当該植栽トレー連結具そのものが受ける力をも低減することができ、部材断面の低減、及び、それに伴うコストダウン、疲労破壊の緩和による耐久性向上等の効果をも発揮するものである。
【００１１】
請求項４の発明の特徴構成は、前記日射遮蔽部は、隣接配置した複数の前記植栽トレー間に介在自在で、前記植栽トレーどうしの近接離間を許容自在に形成してあるところにある。
【００１２】
請求項４の発明の特徴構成によれば、請求項１〜３の何れかの発明による作用効果を叶えることができるのに加えて、前記植栽トレーに対する係止状態の前記係止部への日射を前記日射遮蔽部によって遮蔽するに当たり、隣接配置した複数の植栽トレーに日射遮蔽部を接当させて紫外線の通過する隙間が生じ難い状態にしたまま両植栽トレーどうしの近接離間を許容することができ、係止部へのより好ましい日射遮蔽と、トレー間に発生する応力の緩和とを併せて叶えることが可能となる。
そして、植栽トレー間に作用する応力の緩和を図れると言うことは、植栽トレーに対する応力の集中を防止できると共に、当該植栽トレー連結具の日射遮蔽部そのものが受ける力をも低減することができ、部材断面の低減、及び、それに伴うコストダウン、疲労破壊の緩和による耐久性向上等の効果をも発揮するものである。
【００１３】
請求項５の発明の特徴構成は、前記日射遮蔽部は、前記植栽トレーに対して前記連結具本体を着脱操作自在な操作部であるところにある。
【００１４】
請求項５の発明の特徴構成によれば、請求項１〜４の何れかの発明による作用効果を叶えることができるのに加えて、前記日射遮蔽部は、日頃は、前記係止部への日射の遮蔽を図りながら、植栽トレーに対して植栽トレー連結具を着脱する際には、その部分を持って着脱操作することができるようになる。
従って、日射遮蔽機能と操作機能とを部材の一つの部分で兼用化することができ、植栽トレー連結具の構造の簡単化、製造コストの低減化を叶えることが可能となる。
【００１５】
【発明の実施の形態】
以下に本発明の実施の形態を図面に基づいて説明する。尚、図面において従来例と同一の符号で表示した部分は、同一又は相当の部分を示している。
【００１６】
図１は、当該発明の植栽トレー連結具Ｑの一実施形態品である連結ピン１３を使用して複数の植栽トレーＡを連結した状態に設置してある建物Ｂを示すものである。
本実施形態の建物Ｂは、鉄筋コンクリート造で、その屋上Ｒは、陸屋根として構成してある。
そして屋上Ｒには、植栽ゾーンＳを設けて屋上緑化を図ってある。
【００１７】
屋上Ｒの説明をすると、図１、図２に示すように、屋上スラブＲ１上に防水層Ｒ２を設けて構成してある。
前記防水層Ｒ２は、例えば、シート防水等によって施工された防水層で、前記屋上スラブＲ１と一体的に設けられている。
【００１８】
そして、前記植栽ゾーンＳは、防水層Ｒ２上に、植栽物（例えば、草や木、及び、乾燥状態や貧栄養状態でも生育するセダム類等）２を生育させる植栽部３を備えた複数のトレーＡを縦横に並設して構成してある。
前記植栽部３は、前記植栽物２の植付層となる土によって構成してある。土は、火山砂利やセラミックス系のもの等を使用すれば、乾燥・貧栄養条件を維持しやすく、雑草の侵入を抑制した状態で前記セダム類の生育環境を最適化することが可能となる。
【００１９】
前記トレーＡは、合成樹脂の射出成形によって製造してあり、図２〜７に示すように、前記植栽部３を形成するトレー本体部４を設け、前記トレー本体部４の下面側に、前記屋上Ｒ上に接地自在な複数の脚部５を設け、隣接する前記脚部５の接地部５ａにわたって、前記屋上Ｒ上に接地自在な梁部６を設けて構成してある。これら、トレー本体部４、脚部５、梁部６は、一体に形成されている。
【００２０】
前記トレー本体部４は、平面視での四隅が面取りしてある略正方形に形成してある。そして、前記植栽部３を支持する状態の底面部４ａと、この底面部４ａの外周から壁状に立設された側面部４ｂとを備えて構成してある。従って、前記底面部４ａ、側面部４ｂとで前記土が保持されて、植栽部３が構成されている。
【００２１】
前記底面部４ａには、前記植栽部３からの水をトレー下方に排出する排水孔ｈを形成してある。この排水孔ｈは、図に示すように、平面視で長四角形状で、底面部４ａの平面視での縦横格子状に配置されている。縦横格子状の縦横交点部分は、前述の脚部５が設けてあり、排水孔ｈは、隣接する脚部５間に形成してある。そして、この排水孔ｈの外周縁部は、底面部４ａの平面部分より高くなるように堰７が形成してあり、底面部４ａの平面部分上に適度な水分を保持して、植栽部３が乾燥するのを防止できるようにしてある（図７参照）。
また、底面部４ａには、植栽部３の土が、前記排水孔ｈを通して下方へ流出するのを防止するためのフィルタシート８を取り付けてある。このフィルタシート８は、前記底面部４ａの大きさとほぼ同じ寸法に形成してあり、複数個所を、固定ピン９で前記底面部４ａに固定してある。具体的には、前記底面部４ａの複数個所に固定穴１０が形成してあり、前記フィルタシート８を底面部４ａ上に載置した状態で、前記固定ピン９を、フィルタシート８の上から前記固定穴１０に嵌入することで、フィルタシート８の被固定部を前記固定穴１０と固定ピン９とで挟む状態に固定されている。
当然の事ながら、前記フィルタシート８は、前記土が流出しない程度の網目寸法に形成してある。
【００２２】
前記側面部４ｂは、前述の通り、四隅が面取り形状の底面部４ａの外周縁部を壁状に立ち上げた形状に構成されており、例えば、図８に示すように、複数のトレー本体部４を屋上Ｒの表面に沿って並設することによって、四つのトレー本体部４の各面取り部分が、隣接状態に位置するように配置することができ、これらの各面取り部に囲まれた縦空間Ｋ１は、トレー本体部４の上方空間と、裏面空間とを連通させることができ、トレー本体部の裏面空間の換気作用を促進することが可能となる。
一方、側面部４ｂの内周面には、例えば、図３に示すように、前記植栽部３を仕切る場合に用いる仕切り板１１を取付自在な嵌合溝１２を、内周面での対向する位置にそれぞれ設けてある。これらの嵌合溝１２に仕切り板１１の両端部を嵌合させることで、前記植栽部３を仕切ることができ、例えば、種類の異なる植物を生育させる場合や、傾斜した屋上Ｒ上に当該トレーＡを設置するに際して土の偏りを防止するような場合に有効である。
また、側面部の外周面には、当該トレーＡと隣接させた別のトレーＡとを連結する連結ピン（植栽トレー連結具Ｊの一実施形態品）１３を取り付けるための連結ピン取付部１４を形成してある。一方、トレー本体部４の四隅の側面部（面取り部分）には、後述の押さえ部材１６を係止させる被固定部１８を形成してある。
【００２３】
前記連結ピン１３は、合成樹脂の一体成形品であり、図９、図１０に示すように、断面形状が逆「Ｕ」字形のピン本体（連結具本体ＪＡに相当）１３Ａと、ピン本体１３Ａの頂部に形成された操作部１３Ｂとを設けて構成してある。
前記ピン本体１３Ａの両下端部は、内側へ屈曲させて形成してあり、この部分が、前記トレー本体部４への係止部Ｇとなる。そして、ピン本体１３Ａは、弾性を備えているから、外力を受けると弾性的に撓んで、両係止部Ｇが、相対的に近接したり離間したりできるように形成してある。
また、前記操作部１３Ｂについても、前記ピン本体１３Ａと同様に弾性を備えさせてある。そして、形状は、ピン本体１３Ａに類似した形状に形成してあるから、前記連結ピン取付部１４への連結ピン１３の着脱時に指で摘みやすい。また、前記操作部１３Ｂは、前記トレー本体部４に取り付けた状態で両端部が側面部４ｂに当接するように寸法設定してあり、前記係止部Ｇを上方から覆うことで、前記係止部Ｇ、及び、ピン本体１３Ａに直射日光が当たるのを防止し、紫外線劣化が生じ難いように構成してある。前記操作部１３Ｂによって日射隠蔽部Ｎが構成されている。
【００２４】
この連結ピン取付部１４は、前記側面部４ｂの平面視での中央部と両端部とにそれぞれ形成してあり、外面に縦方向に形成された溝状部１４Ａと、溝状部１４Ａの下端部側に溝縁部間にわたって設けられた被係止部１４Ｂとを設けて構成してある。
そして、それぞれの連結ピン取付部１４が対向する状態に二つのトレーＡを配置し、前記連結ピン１３の係止部Ｇが、対向する溝状部１４Ａ内に進入するようにピン本体１３Ａを上方から挿入すると、係止部Ｇが前記被係止部１４Ｂを乗り越える際にその被係止部１４Ｂが内側へ弾性変形し、乗り越えた後の弾性復元力で係止部Ｇが、被係止部１４Ｂの下方へ回り込み、抜け止め状態に係合させることができる。以上の手順で、隣接するトレーＡ間に対向する他の連結ピン取付部１４に対して連結ピン１３を取り付けることで、両トレーＡは、安定した状態に連結される。但し、両トレーＡに外力が作用した場合、弾性変形が可能な範囲内で、両係止部Ｇは近接したり離間することが可能である。
また、溝状部１４Ａの巾寸法は、連結ピン１３の巾寸法に比べて大きく形成してあり、図８の平面図に示すように、連結ピン取付部１４に連結ピン１３を係止させた状態でも、両者間には隙間Ｄができるように構成してある。従って、溝状部１４Ａ内で、前記隙間Ｄの巾寸法にわたって相対移動することができ、隣接するトレーＡ同士の若干の移動を許容することが可能となる。
一方、前記連結ピン１３を取り外す際には、前記隙間Ｄに、例えばドライバー等を差し込むことで、前記被係止部１４Ｂが撓んで係止状態が解除され、連結ピンを１３を取り外すことができる。
【００２５】
因みに、当該トレーＡの屋上Ｒへの固定は、図１１、図１２に示すように、予め屋上Ｒに取り付けられた固定具本体１５に対して、前記押さえ部材１６を用いてトレーＡの前記被固定部１８を押さえ固定することで実施される。
【００２６】
前記固定具本体１５は、ベース部分１５ａと、本体部分１５ｂと、係止ナット部材１５ｃとを備えて構成してある。
前記ベース部分１５ａは、円板で構成してあり、前記本体部分１５ｂは、前記円板の中央部分に一体的に且つ立設状態に設けられた樹脂ボルトによって構成してある。そして、係止ナット部材１５ｃは、本体部分１５ｂに螺合自在に形成してある。また、前記ベース部分１５ａは、その下面を前記防水層Ｒ２に固定されている。
【００２７】
前記押さえ部材１６は、図１１、図１２に示すように、前記固定具本体１５の本体部分１５ｂに外嵌自在な縦筒部１６Ａを中央に備え、縦筒部１６Ａの下端外周部から斜め上方への放射状に取り付けられた四つの押さえ部１６Ｂを設けて構成してある。押さえ部１６Ｂの先端部は、下方へ屈曲させてあり、前記被固定部１８に挿入することで嵌合し、押さえ部材１６をトレーＡに係止させることができる。また、前記押さえ部１６Ｂの形状を、上述の通り縦筒部１６Ａから斜め上方に傾斜姿勢に形成してあることで、固定具本体１５と押さえ部材１６とで固定してある各トレーどうしが横方向に相対移動するような場合にその移動を押さえ部１６Ｂの弾性変形で許容することが可能となる。従って、例えば、炎天下の日射熱を受けてトレーＡが膨張するような場合でも、その熱膨張によるトレーＡの若干の移動は許容したまま固定状態を維持することが可能となる。
【００２８】
以上のように、トレー本体部４間の前記縦空間Ｋ１に位置する状態に固定された固定具本体１５に、前記縦筒部１６Ａを挿通させて、トレー本体部４の被固定部１８に前記押さえ部１６Ｂが挿入係止する状態に押さえ部材１６を配置し、前記縦筒部１６Ａから上に突出した固定具本体１５の本体部分１５ｂに係止ナット部材１５ｃを螺合させながらその螺合位置を下方に移動させることで、前記押さえ部材１６の押さえ部１６Ｂがトレー本体部４の被固定部１８を押さえた状態に位置規制され、トレー本体部４を固定することが可能となる。
【００２９】
前記脚部５は、図６に示すように、四角柱で構成してあり、前記トレー本体部４の底面部４ａ裏面に、平面視で縦横格子状の縦横交差部分に基端部が固定されている。そして、脚部５の下端部が、前記屋上Ｒに直に触れる接地部５ａとして構成されている。
また、前記梁部６は、前記各脚部５の下端部間に一体的に設けられ、屋上Ｒ上に接地するように構成されている。従って、トレーＡからの重量は、前記脚部５、及び、前記梁部６とで構成される格子状部１７の接地面１７ａすべての範囲に分散された状態で、前記屋上Ｒに伝達される。従って、防水層Ｒ２の局部に大きな荷重が集中するのを防止することができ、防水層に優しい植栽作りを実現することができる。
一方、各梁部６の直上に位置するトレー本体部４の底面部分には、前述のように、排水孔ｈが位置しており、前記植栽部３の土粒子間隙４ａと、トレー本体部４と屋上Ｒとの間に形成される裏面空間Ｋ２とは、前記排水孔ｈを通して連通しているから、前記植栽部３の土の通気を図ることが可能となる。
因みに、前記裏面空間Ｋ２は、各トレーＡの面取り部間に形成された縦空間Ｋ１とも連通しているから、前記縦空間Ｋ１を通して裏面空間Ｋ２の換気を図ることが可能となる。
また、当該トレーは、先にも説明したが、合成樹脂の射出成形によって形成してあるわけであるが、前記排水孔ｈは、上側金型の抜け空間となる。
【００３０】
本実施形態の連結ピン１３によれば、トレーＡに連結ピン１３を取り付けた状態で日射を受けたとしても、前記日射遮蔽部Ｎによって太陽光が前記係止部Ｇに直接的に照射されるのを緩和することができ、紫外線劣化を抑制することで、植栽トレーどうしの連結力を長期間にわたって持続し易くすることができる。また、前記日射遮蔽部Ｎも連結ピン１３の一部として形成してあり、取扱性のよい連結ピンを安価に提供しやすく、且つ、トレーＡどうしの連結作業を効率よく実施することが可能となる。更には、トレーＡどうしの連結状態でも、トレーＡどうしの近接離間を許容することができるから、例えば、熱による膨張や収縮、又は、外力の作用等に伴って各植栽トレー間に作用する応力の緩和を図れる状態に連結することが可能となる。
【００３１】
尚、上述のように、図面との対照を便利にするために符号を記したが、該記入により本発明は添付図面の構成に限定されるものではない。
【００３２】
〔別実施形態〕
以下に他の実施の形態を説明する。
【００３３】
〈１〉　植栽トレー連結具Ｊは、先の実施形態で説明した連結ピン１３のように、ピン本体１３Ａと、日射遮蔽部Ｎである操作部１３Ｂとを一体に形成してあるものに限るものではなく、例えば、連結具本体ＪＡと日射遮蔽部Ｎとを別体に構成するものであってもよい。
その一例を図１３〜１５に示す。
この実施形態では、連結具本体ＪＡは、先の実施形態で説明した押さえ部材１６に相当する。即ち、前記押さえ部材１６の押さえ部１６Ｂ先端の屈曲部分が、係止部Ｇに相当し、押さえ部材１６によって隣接するトレーＡ同士は連結されている。そして、日射遮蔽部Ｎは、前記押さえ部材１６とは別体に形成した踏み面部材２０で構成してある。踏み面部材２０は、複数のトレーＡにわたって前記縦空間Ｋ１上に被さる状態に設けられ、植栽ゾーン上を歩く際に、植栽部３を直に踏んで植栽物２を傷めないために、人が乗れる構造に構成してある。そして、押さえ部材１６の係止部に相当する押さえ部１６Ｂへの日射を、踏み面部材２０で抑制することで紫外線劣化の防止を図るように構成してある。
前記踏み面部材２０も、前記トレーＡと同様に合成樹脂によって形成してあり、図１３、図１５に示すように、裏面側に、トレーＡへの係止用突起２１が設けてある。この係止用突起２１は、前記トレーＡの前記被固定部１８の両側に形成された縦溝形状の踏み面部材固定部２２に挿入することで係合状態に取り付けることができるものである。前記踏み面部材２０の係止用突起２１の数は、この実施形態においては、前記縦空間Ｋ１で対向する二つのトレーＡに各別に係合するように二つも受けられているが、この数は、縦空間Ｋ１に位置するトレーＡのすべてに相当するものであってもよいし、一つだけであってもよい。係止用突起２１を一つ設ける場合には、踏み面部材２０は一つのトレーＡにのみ位置が拘束されるだけであるから、各トレーＡどうしの相対移動が発生してもその動きを許容することができる。
また、踏み面部材２０は、図１５に示すように、上下に貫通する貫通孔２３を多数設けてあり、踏み面部材２０の上面に水滴等が溜まり難くすると共に、歩行時の摩擦を確保し、滑り防止効果を発揮できるように構成されている。この貫通孔２３は、前記裏面空間Ｋ２、縦空間Ｋ１を通した空気の流れを阻害し難いから裏面換気の役割も担っている。更には、貫通孔２３の孔の長さは、上方からの日射が、貫通孔２３を通過することで下方空間全面に到達するのを防止し、紫外線遮蔽効果を発揮できるように設定してある。当該実施形態においては、踏み面部材２０の厚みを増加することで、貫通孔２３の径に対して充分大きな孔長を確保してあると共に、踏み荷重を支持できる強度を確保できるように構成してある。従って、踏み面部材２０を、例えば金属等の高強度材料で構成する場合には、そのものの厚み寸法は薄くできるが、前記貫通孔２３に関しては、長さを確保するために筒形状とすることも可能である。
〈２〉　前記押さえ部材１６は、縦筒部１６Ａと、その縦筒部１６Ａの外周部に放射状に等しい長さ寸法で設けられた複数の押さえ部１６Ｂとで構成されたものを説明したが、例えば、前記各押さえ部１６Ｂを、図１６に示すように、予め、異なる寸法に形成しておくことも可能である。前記固定具本体１５は、現場での固定作業となるから、位置出し精度が低下し易く、固定具本体１５の平面中心位置は、必ずしも、各トレーＡの被固定部１８から等距離の位置となる保証はなく、むしろ、固定具本体１５は、各被固定部１８との距離がそれぞれ異なっていることが一般的である。従って、押さえ部１６Ｂの長さを、例えば、図１６に示すように当初から設定しておくことによって、殆どの設置個所においては、前記押さえ部１６Ｂの変形を少なくした状態でトレーの固定を行うことが可能となる。
〈３〉　当該植栽トレー連結具Ｊで連結する植栽トレーＡは、先の実施形態で説明したものに限らず、異なる構成のものであってもよい。
例えば、植栽トレーＡの植栽部３は、土を入れて構成するものに限らず、例えば、合成樹脂の繊維材をマット状に絡ませて隙間に土を充填した植栽マットを使用した構成であっても良い。
また、植栽部３に生育させる植栽物は、先の実施形態で説明したようにセダム類の植物に限るものではなく、他の草木であってもよい。
そして、前記植栽トレーＡの設置対象は、陸屋根の屋上に限るものではなく、例えば、ベランダやバルコニー、傾斜屋根等で構成してあるものであってもよい。
一方、前記植栽トレーＡの形状は、先の実施形態で説明したように隅部を面取りした矩形形状に限るものではなく、四角形以外の多角形や円形等の形状を基本形状とするものであっても良い。
【００３４】
尚、上述のように、図面との対照を便利にするために符号を記したが、該記入により本発明は添付図面の構成に限定されるものではない。
【図面の簡単な説明】
【図１】植栽設置状況を示す要部斜視図
【図２】植栽トレー連結状況を示す側面視による要部断面図
【図３】植栽トレーの斜め上方から見た斜視図
【図４】植栽トレーの側面図
【図５】植栽トレーの上面図
【図６】植栽トレーの斜め下方から見た斜視図
【図７】植栽トレーの側面視による要部断面図
【図８】植栽トレーの設置状況を示す要部上面図
【図９】連結ピンの取付状況を示す要部斜視図
【図１０】連結ピンの取付状況を示す要部断面図
【図１１】固定具本体の取付状況を示す側面視による要部断面図
【図１２】固定具本体を示す分解斜視図
【図１３】別実施形態の日射遮蔽部を示す要部斜視図
【図１４】別実施形態の日射遮蔽部を示す要部斜視図
【図１５】別実施形態の日射遮蔽部を示す一部切欠き側面図
【図１６】別実施形態の押さえ部材を示す説明図
【図１７】従来の植栽トレー連結具を示す斜視図
【図１８】従来の植栽トレー連結具を示す要部断面図
【図１９】従来の植栽トレー連結具を示す要部断面図
【符号の説明】
１３Ａ　連結具本体
１３Ｂ　日射遮蔽部
１６　　連結具本体
２０　　日射遮蔽部
Ａ　　　植栽トレー
Ｇ　　　係止部
ＪＡ　　連結具本体
Ｎ　　　日射隠蔽部
【図１】
2004024047.tif 000003
【図２】
2004024047.tif 000004
【図３】
2004024047.tif 000005
【図４】
2004024047.tif 000006
【図５】
2004024047.tif 000007
【図６】
2004024047.tif 000008
【図７】
2004024047.tif 000009
【図８】
2004024047.tif 000010
【図９】
2004024047.tif 000011
【図１０】
2004024047.tif 000012
【図１１】
2004024047.tif 000013
【図１２】
2004024047.tif 000014
【図１３】
2004024047.tif 000015
【図１４】
2004024047.tif 000016
【図１５】
2004024047.tif 000017
【図１６】
2004024047.tif 000018
【図１７】
2004024047.tif 000019
【図１８】
2004024047.tif 000020
【図１９】
2004024047.tif 000021